(57)【要約】      （修正有）【課題】販売目的の商品を収納する為の包装用化粧箱で、商品を取り出した後廃棄せず、照明又は装飾具として再利用を目的とした包装用化粧箱を提供する。【解決手段】蓋１０と身２０の間に脱着可能な中枠３０が設けられた包装用化粧箱と、切り絵が加工されたフイルム又は紙からなる切り絵シートを備えている。包装用化粧箱の身２０の底部に窓部２３を切り取って窓枠を形成する為の切り取り線２１が施されている。この切り取り線２１は破線で形成されている。窓枠の内側に切り絵シートを配置し中枠３０で抑え固定し、中に光源を置くことにより照明又は装飾具としての再利用が可能である。【選択図】図１
0003224934.tif 000002
【実用新案登録請求の範囲】
【請求項１】
蓋と身の間に脱着可能な中枠が設けられた包装用化粧箱と、切り絵が加工されたフイルム又は紙からなる切り絵シートを備え、前記包装用化粧箱の身側の底部に窓部を切り取って窓枠を形成する為の切り取り線が施され、前記窓枠の内側に前記切り絵シートを配置し前記中枠で抑え固定し、中に光源を置くことにより照明又は装飾具としての再利用が可能な包装用化粧箱。
【請求項２】
前記切り絵シートは、切り絵が加工されたフイルムの内側に和紙又は色紙が貼り付けられた、請求項１に記載の再利用が可能な包装用化粧箱。
【請求項３】
前記切り絵シートは、切り絵が加工された紙の内側に和紙又は色紙が貼り付けられ、更にその内側に枠台紙が貼り付けられた請求項１に記載の再利用が可能な包装用化粧箱。
【請求項４】
蓋と身からなる包装用化粧箱において、前記蓋の上面に直接切り絵が加工され、中に光源を置くことにより照明又は装飾具としての再利用が可能な包装用化粧箱。
【請求項５】
前記切り絵は彫刻刀やカッターナイフ、レイザー加工、プロッター加工、抜き型の何れかを用いて加工される、請求項１から請求項４のいずれか１項に記載の再利用が可能な包装用化粧箱。
【考案の詳細な説明】
【技術分野】
【０００１】本考案は製品を収納する為の包装用化粧箱で、照明又は装飾具として再利用が可能な包装用化粧箱に関する。
【背景技術】
【０００２】一般に製品を収納するための包装用化粧箱には、間接及び直接包装用化粧箱に文字や図形や模様やイラストのデザインが施されており、流通過程や店舗での陳列販売の時点などにおいて製品を保護する目的で使用されている。【０００３】消費者は、包装用化粧箱に収められた状態で商品を購入し、製品取出し後に、包装用化粧箱をごみ箱に捨てるなど廃棄処理している。【０００４】このように、従来、製品を収納するための包装用化粧箱は再利用されることなく、内容物を消費又は取り出すと、直ぐにゴミとして廃棄されている。【０００５】昨今において、ゴミの増加による環境破壊が問題視されるようになっていることから、空箱となった包装用化粧箱を何らかの用途に再利用できるようにすることが要求されている。【０００６】このような要求に応えるものとして、特許文献１には、製品を収納するための包装箱が、透明又は半透明な合成樹脂シートに透明又は半透明な部分を一部残して印刷で構成されており、合成樹脂シートに印刷で製作された箱で開示されている。
【先行技術文献】
【特許文献】
【０００７】
【特許文献１】実用新案登録第３１３８０９８号
【考案の概要】
【考案が解決しようとする課題】
【０００８】  しかし、上述した特許文献１に開示された包装箱は合成樹脂シートで構成されており、又、合成樹脂シートに直接印刷を施す方法で製造されるので少ロットでの対応に関して困難が生じる。【０００９】又、特許文献１に開示された包装箱は、包装箱としての使用後に、決められた印刷物の陰影を中に内蔵した電気的または電子的に発行するキャンドルを組み合わされて陰影を映し出すもので同じ陰影しか現れない。【００１０】また、特許文献１に開示された包装箱からは、陰影のアレンジ性に欠け同じ絵面での表現にしか使用できない。【００１１】  本考案の包装用化粧箱は格別な面倒なく再利用でき、優雅さやインテリアとしてのおもむきに溢れ、照明又は装飾具として再利用可能な包装用化粧箱を提供することを目的とする。更に、収納された商品の特性を強くアピールする力を有する、照明又は装飾具として再利用可能な包装用化粧箱を提供することを目的とする。
【課題を解決するための手段】
【００１２】  本考案の包装用化粧箱は、蓋と身の間に脱着可能な中枠が設けられた包装用化粧箱と、切り絵が加工されたフイルム又は紙からなる切り絵シートを備え、前記包装用化粧箱の身側の底部に窓部を切り取って窓枠を形成する為の切り取り線が施され、前記窓枠の内側に前記切り絵シートを配置し前記中枠で抑え固定し、中に光源を置くことにより照明又は装飾具としての再利用が可能なことを特徴とする。【００１３】又、本考案の包装用化粧箱は、前記切り絵シートは、切り絵が加工されたフイルムの内側に和紙又は色紙が貼り付けられてもよい。【００１４】    又、本考案の包装用化粧箱は、前記切り絵シートは、切り絵が加工された紙の内側に和紙又は色紙が貼り付けられ、更にその内側に枠台紙が貼り付けられてもよい。【００１５】    又、本考案の包装用化粧箱は、蓋と身からなる包装用化粧箱において、前記蓋の上面に直接切り絵が加工され、中に光源を置くことにより照明又は装飾具としての再利用が可能なことを特徴とする。【００１６】    又、本考案の包装用化粧箱は、前記切り絵は彫刻刀やカッターナイフ、レイザー加工、プロッター加工、抜き型の何れかを用いて加工してもよい。
【考案の効果】
【００１７】  本考案は、蓋と身の間に脱着可能な中枠が設けられた包装用化粧箱で、収納された商品を取り出した後、身の底部にある切り取り線から窓枠を切り取り別に製作した切り絵シートを底部に押し込め中枠で固定する。それによりハサミやナイフや糊を使用しないで切り絵シートを固定させ、中に照明装置を配置し蓋をすることにより照明又は装飾具として光の陰影を楽しむことの出来る再利用可能な包装用化粧箱である。【００１８】  又、本考案において切り絵シートは差し替えが可能で季節に合った陰影を楽しむ事が出来る。電気的な照明装置や電池を使用するＬＥＤを用いた調光タイプと揺らぎのタイプがあり、置く場所や目的に合わせてアレンジが可能な包装用化粧箱である。【００１９】特に、本考案は、日本的な商品には日本的な陰影を、洋風な商品には洋風的な陰影を発する切り絵シートを備え日本的な、お土産や季節のプレゼント用として使用する事が出来る包装用化粧箱である。
【図面の簡単な説明】
【００２０】
【図１】本考案の蓋と身と中枠が設けられた包装用化粧箱を示す図。
【図２】本考案の身の底部に施された切り取り線から窓枠を抜き、切り絵シートを貼る様子を示す図。
【図３】本考案の切り絵シートの構成を示す図。
【図４】本考案の蓋と身と中枠からなる包装用化粧箱を照明又は装飾具として再利用している様子を示す図。
【図５】本考案の蓋に直接切り絵加工を施す様子を示す図。
【図６】本考案の蓋と身からなる包装用化粧箱を照明又は装飾具として再利用している様子を示す図。
【図７】図４に示す本考案の包装用化粧箱の中に光源を配置した事を示す図。
【考案を実施するための形態】
【００２１】  以下、本考案を図示した実用例に基づいて本考案を詳細に説明する。
【実施例１】
【００２２】  本考案の包装用化粧箱は、図１に示すように蓋１０と身２０の間に脱着可能な中枠３０が設けられた包装用化粧箱と、切り絵２２が加工されたフイルム又は紙からなる切り絵シート４０ａ，４０ｂを備えている。包装用化粧箱の身２０の底部に窓部２３を切り取って窓枠２５を形成する為の切り取り線２１が施されている。この切り取り線２１は破線で形成されている。窓枠２５の内側に切り絵シート４０ａ，４０ｂを配置して中枠３０で抑え固定し、中に光源５０を置くことにより照明又は装飾具としての再利用が可能である。【００２３】  本考案の蓋１０と身２０の間に脱着可能な中枠３０が設けられた包装用化粧箱で、商品を取り出した後に、身２０の底部の破線切り取り線２１で窓部２３を切り取った窓枠２５の内側の四隅ａ１，ｂ１，ｃ１，ｄ１に図３で製作した切り絵シート４０ａ，４０ｂの４つの角ａ，ｂ，ｃ，ｄを押し込め、図４の様な形態にする。その中に光源５０を図７のように配置して点灯することにより切り絵シート４０ａ，４０ｂの文字やイラストなどの陰影を映し出し楽しむ。【００２４】本考案の蓋１０と身２０からなる包装用化粧箱で、商品を取り出した後に、蓋１０に切り絵２２を直接加工し、中に光源５０を図７のように配し点灯することにより切り絵２２の文字やイラストなどの陰影を映し出し楽しむこともできる。【００２５】    本考案の図３に示す切り絵シート４０ａは、切り絵が加工されたフイルム４１の内側に和紙又は色紙４２が貼り付けられている。又、切り絵シート４０ｂは、切り絵が加工された紙４３の内側に和紙又は色紙４２が貼り付けられ、更にその内側に例えばボール紙で出来た窓枠と同形状の枠台紙が貼り付けられている。切り絵２２は文字や画像及びイラストなどである。切り絵２２は彫刻刀やカッターナイフ、レイザー加工、プロッター加工、抜き型の何れかを用いて加工される。【００２６】  本考案の図７に示す光源はＬＥＤを主に用い発熱や発火のない物を選択し、電球色タイプや光の調光タイプや揺らぎのタイプなど陰影を発する切り絵に合わせて選択する。【００２７】  本考案の包装用化粧箱は収納する商品のイメージに合わせた文字やイラストの切り絵シート４０ａ，４０ｂを当初１枚は同梱する。その後必要により切り絵シート４０ａ，４０ｂを増やすことが出来、季節に合ったイラストの陰影を楽しむ事が出来る。
【符号の説明】
【００２８】  １０  蓋
２０  身
２１  切り取り線
２２  切り絵
２３  窓部
２５  窓枠
３０  中枠
４０ａ，４０ｂ  切り絵シート
４１  切り絵が加工されたフイルム
４２  和紙又は色紙
４３  切り絵が加工された紙
４４  枠台紙
５０  光源
【図１】
0003224934.tif 000003
【図２】
0003224934.tif 000004
【図３】
0003224934.tif 000005
【図４】
0003224934.tif 000006
【図５】
0003224934.tif 000007
【図６】
0003224934.tif 000008
【図７】
0003224934.tif 000009